(57)【要約】【課題】簡易な構成により、鏡を容易且つ確実に固定することができる連結部材及びそれを備えた鏡アセンブリを提供する。【解決手段】連結部材１０は、鏡２の端部２Ａ，２Ｂに設けられて鏡２と収納棚（所定の取付部）とを連結する部材である。連結部材１０は、前壁２０及び後壁３０を備えている。前壁２０は鏡２の前面を覆う。後壁３０は、鏡２の後面を覆うとともに、鏡２の後面に当接して鏡２を前壁２０側に押圧する押圧部３１を有している。【選択図】図７
2019141271.tif 000002
【特許請求の範囲】
【請求項１】
鏡の端部に設けられて前記鏡と所定の取付部とを連結する連結部材であって、
前記鏡の前面を覆う前壁と、
前記鏡の後面を覆うとともに、前記鏡の後面に当接して前記鏡を前記前壁側に押圧する押圧部を有する後壁と、
を備えていることを特徴とする連結部材。
【請求項２】
前記押圧部は、
前記後壁の前後方向に貫通する貫通孔と、
先端が前記後壁の前面よりも前方に出没自在な形態で前記貫通孔に螺合するねじ部材と、
を具備することを特徴とする請求項１記載の連結部材。
【請求項３】
前記押圧部は、前記ねじ部材の先端と前記鏡の後面との間に介装される介装部材を具備することを特徴とする請求項２記載の連結部材。
【請求項４】
前記押圧部は、前記後壁の前面よりも前方に突出する形態で前記後壁に設けられた弾性部材を具備することを特徴とする請求項１記載の連結部材。
【請求項５】
前記押圧部は、前記後壁の前面から前方に突出して形成されており、前記鏡が挿入されるときに受ける押圧力によって塑性変形する凸状部を具備することを特徴とする請求項１に記載の連結部材。
【請求項６】
鏡と、
前記鏡の端部に設けられた請求項１乃至５のいずれか一項に記載の連結部材と、
を備えたことを特徴とする鏡アセンブリ。
【発明の詳細な説明】
【技術分野】
【０００１】
本発明は、連結部材、及びそれを備えた鏡アセンブリに関する。
【背景技術】
【０００２】
従来、鏡の端部に設けられて鏡を収納棚や壁面等に連結するための連結部材が知られている。この種の連結部材は、鏡の前後面を覆う２つの壁部の間に鏡を配する形態で設けられる。連結部材と鏡との固定方法としては、例えば、鏡の後面と、この後面を覆う壁部とを接着剤によって固定する方法が知られている。
また、接着剤を用いることなく鏡と連結部材とを固定する形態としては、連結部材に可撓性を持たせ、締め付け部材を締め付けることにより前後の壁部を撓ませて鏡を挟み込む方法等が知られている（例えば、特許文献１参照）。
【先行技術文献】
【特許文献】
【０００３】
【特許文献１】特開２０１４−２０９９９１号公報
【発明の概要】
【発明が解決しようとする課題】
【０００４】
しかし、鏡と連結部材を接着剤を用いて固定する方法の場合には、接着剤の塗布や養生等が必要となり、煩雑である。
また、特許文献１のように鏡を挟持する場合には、接着剤の塗布や養生等の手間は省くことができるが、連結部材には可撓性を持たせる必要がある。この場合、例えば、鏡が収納棚の扉として用いる場合等、連結部材に外力が作用するような場合には、連結部材には外力に抗する所定の剛性の確保が求められる。しかしながら、剛性を高めると可撓性の確保が困難となり、鏡の挟持が不十分になってしまうおそれがある。
【０００５】
本発明は、上記従来の実情に鑑みてなされたものであって、簡易な構成により、鏡を容易且つ確実に固定することができる連結部材及びそれを備えた鏡アセンブリを提供することを解決すべき課題としている。
【課題を解決するための手段】
【０００６】
本発明の連結部材は、鏡の端部に設けられて前記鏡と所定の取付部とを連結する連結部材であって、
前記鏡の前面を覆う前壁と、
前記鏡の後面を覆うとともに、前記鏡の後面に当接して前記鏡を前記前壁側に押圧する押圧部を有する後壁と、
を備えていることを特徴とする。
【０００７】
本発明の連結部材は、後壁が押圧部を有している。連結部材は、この押圧部が鏡を前壁側に押圧することによって、鏡を前壁と後壁との間で挟持している。このため、組み立てる際には、接着剤の塗布やその養生等が不要である。また、特許文献１のように鏡を挟持するための可撓性を連結部材に持たせる必要がないので、連結部材に所望の剛性を確保することができる。このため、押圧部により鏡を確実に押圧することができる。
【０００８】
したがって、本発明の連結部材は、簡易な構成により、鏡を容易且つ確実に固定することができる。
【０００９】
また、本発明の鏡アセンブリは、鏡と、
前記鏡の端部に設けられた前記連結部材と、
を備えていることを特徴とする。
【００１０】
この鏡アセンブリは、上記構成の連結部材を備えているので、連結部材により鏡が容易且つ確実に固定された鏡アセンブリを実現することができる。
【図面の簡単な説明】
【００１１】
【図１】実施例１に係る鏡アセンブリを示す図であり、（Ａ）斜視図、（Ｂ）分解斜視図を夫々示す。
【図２】実施例１に係る連結部材を示す斜視図である。
【図３】実施例１に係る連結部材を示す背面図である。
【図４】図３のＩＶ−ＩＶ線断面図である。
【図５】図３のＶ−Ｖ線断面図である。
【図６】実施例１の作用を説明するための図（その１）である。
【図７】実施例１の作用を説明するための図（その２）である。
【図８】実施例２の作用を説明するための図である。
【図９】実施例３に係る連結部材を示す斜視図である。
【図１０】実施例３に係る連結部材の押圧部における断面図である。
【図１１】実施例３の作用を説明するための図である。
【図１２】実施例４に係る連結部材の押圧部における断面図である。
【図１３】実施例４の作用を説明するための図である。
【発明を実施するための形態】
【００１２】
本発明における好ましい実施の形態を説明する。
【００１３】
本発明の連結部材において、前記押圧部は、
前記後壁の前後方向に貫通する貫通孔と、
先端が前記後壁の前面よりも前方に出没自在な形態で前記貫通孔に螺合するねじ部材と、
を具備し得る。
この場合、簡易な構成の押圧部により鏡を確実に押圧することができる。
【００１４】
本発明の連結部材において、前記押圧部は、前記ねじ部材の先端と前記鏡の後面との間に介装される介装部材を具備し得る。
この場合、ねじ部材を鏡に直接当接させることなく介装部材を介して鏡を押圧することができるので、例えば、ねじ部材が先端が鋭利な所謂１種ねじであったとしても、鏡を損傷させることなく確実に押圧することができる。
【００１５】
本発明の連結部材において、前記押圧部は、前記後壁の前面よりも前方に突出する形態で前記後壁に設けられた弾性部材を具備し得る。
この場合、簡易な構成の押圧部により鏡を確実に押圧することができる。
【００１６】
本発明の連結部材において、前記押圧部は、前記後壁の前面から前方に突出して形成されており、前記鏡が挿入されるときに受ける押圧力によって塑性変形する凸状部を具備し得る。
この場合、簡易な構成の押圧部により鏡を確実に押圧することができる。
【００１７】
次に、本発明の連結部材及びそれを備えた鏡アセンブリを具体化した実施例１について、図面を参照しつつ説明する。なお、以下の説明では、上下、左右の方向については、図１及び図２に示す向きをそのまま上下、左右方向と定義し、前後の方向については、図４〜図８及び図１０〜図１３に示す左方を前方、右方を後方と夫々定義して説明する。
【００１８】
＜実施例１＞
実施例１の鏡アセンブリ１は、洗面所等に配置される収納棚（図示せず）の前面扉として用いられる。すなわち、鏡アセンブリ１は、所定の取付部としての収納棚に取り付けられる。鏡アセンブリ１は、図１（Ａ）及び（Ｂ）に示すように、鏡２と、この鏡２の上下の端部２Ａ，２Ｂに夫々設けられた連結部材１０と、を備えている。鏡２は、鏡本体３及び裏板４を備えている。鏡本体３は、上下方向を長手方向とする正面視略矩形状をなしている。また、鏡本体３は、前後方向を厚さ方向とする板状に形成されている。裏板４は、鏡本体３の厚さよりも薄い樹脂板からなる。裏板４は、両面テープ等により、鏡本体３の背面に接着固定されている。裏板４は、本体部４Ａ及び延出部４Ｂを具備している。本体部４Ａは、鏡本体３よりも僅かに小さい正面視略矩形状をなしている。延出部４Ｂは、本体部４Ａに一体的に形成されるとともに、本体部４Ａの上下端から鏡本体３の端面よりも外側方向に延出して形成されている。延出部４Ｂの左右幅は本体部４Ａの左右幅よりも小さく形成されている。延出部４Ｂは、本体部４Ａの左右方向の略中央部に設けられている。
【００１９】
連結部材１０は、鏡２と収納棚とを扉用ヒンジを介して連結する。連結部材１０は、鏡２の上下の端部２Ａ，２Ｂに対称に設けられている。連結部材１０は、鏡２の上下の端部２Ａ，２Ｂの延伸方向である左右方向を長手方向とする長尺状に形成されている。上下の連結部材１０は、上下に対称に形成されている以外は略同様の構成であり、以下の説明では鏡２の下端部２Ａに設けられる連結部材１０を用いて説明する。
【００２０】
図２〜図５に示すように、連結部材１０は、前壁２０及び後壁３０を備えている。前壁２０は鏡２の端部２Ａの前面を覆う。前壁２０は、左右方向の長さが鏡２の左右幅と略同等に形成されている。図４及び図５に示すように、前壁２０は、前覆い部２１及び載置部２２を有している。前覆い部２１は、左右方向を長手方向とする正面視略矩形状の板状に形成されている。前覆い部２１の前面は、上下方向の中心部が前方に突出する形態で上下に緩やかに湾曲した湾曲面をなしている。前覆い部２１の左右方向両端部は後方に向かって湾曲する形態でＲ面取りされている。前覆い部２１は、後面の上部側で鏡２の前面を覆う。載置部２２は、前覆い部２１の下部側の後面から後方に延びる形態で前覆い部２１に一体的に形成されている。載置部２２はその上面に鏡２を載置する。載置部２２は、鏡２の下端面が当接する載置面２２Ａが前覆い部２１の上端よりも下方に位置する形態で設けられている。載置部２２の後端部は後述する後壁３０の後覆い部３０Ａの前面に連結されている。
【００２１】
後壁３０は鏡２の端部２Ａの後面を覆う。後壁３０は、前壁２０と同様に、左右方向の長さが鏡２の左右幅と略同等に形成されている。図４及び図５に示すように、後壁３０は後覆い部３０Ａ及び下面部３０Ｂを有している。後覆い部３０Ａは、図３に示すように、左右方向を長手方向とする板状に形成されている。後覆い部３０Ａは、左右両端部の下部が切り欠かれて形成されている。後覆い部３０Ａは、その上端が前壁２０の前覆い部２１の上端よりも上方まで延びて形成されている。後覆い部３０Ａの前面と前覆い部２１の後面との間には鏡２が挿入される空間Ｓが形成されている。この前覆い部２１と後覆い部３０Ａの間の空間Ｓの大きさは、鏡２の厚さ、すなわち、鏡本体３と、両面テープにより鏡本体３の裏面に接着固定された裏板４とを合わせた全体の厚さよりも僅かに大きく設定されている。また、連結部材１０の左右方向の中央部であって、後覆い部３０Ａの前面と載置部２２との間には、延出部４Ｂが挿入される隙間Ｇが形成されている。この隙間Ｇの大きさは、延出部４Ｂの厚さよりも大きく形成されている。
【００２２】
下面部３０Ｂは、後覆い部３０Ａの下端部に沿って設けられており、後覆い部３０Ａの下端部から後方に向かって延びて形成されている。後壁３０は、下面部３０Ｂと、この下面部３０Ｂの延伸方向に略直交する方向である上下方向に延伸する後覆い部３０Ａと、が一体に形成された断面略Ｌ字形状をなしている。下面部３０Ｂは、後覆い部３０Ａの左右両端部の下部が切り欠かれていることから、正面視において、左右方向の中央部が左右の端部よりも下方に突出する形態の段差状に形成されている。このように形成された下面部３０Ｂの左右両端部の下部の空間は、鏡アセンブリ１において、扉開閉用のヒンジが収納される空間、及び扉開閉時に手が挿入される空間とされる。
【００２３】
また、図３〜図５に示すように、後壁３０には、押圧部３１及び抜け止め部３２が設けられている。押圧部３１は、鏡２の後面に当接して鏡２を前壁２０側に押圧する。本実施例において、押圧部３１は、図３に示すように、連結部材１０の左右方向の端部側の夫々に設けられている。また、図４に示すように、押圧部３１は、前覆い部２１の高さに対応する高さに配されている。各押圧部３１は貫通孔３１Ａ及びねじ部材３１Ｂを具備している。貫通孔３１Ａは後壁３０を前後方向に貫通して形成されている。本実施例において、貫通孔３１Ａは、後壁３０の前面側が縮径されたざぐり孔である。後壁３０には、後覆い部３０Ａの後面から後方に突出するボス３３が形成されており、貫通孔３１Ａは、このボス３３を前後に貫通して形成されている。ねじ部材３１Ｂは、その先端が後壁３０の前面よりも前方に突出する形態で貫通孔３１Ａに螺合する。ねじ部材３１Ｂはタッピングビスであり、先端が平らな所謂２種ねじである。ねじ部材３１Ｂは、貫通孔３１Ａに後方から挿入され、貫通孔３１Ａの縮径された前部に螺合する。
【００２４】
抜け止め部３２は、抜け止め用のビス６０が螺合されることにより鏡２を抜け止め固定する。抜け止め部３２は、図３に示すように、後壁３０の中央部に左右方向に並んで２つ設けられている。抜け止め部３２は、後覆い部３０Ａの後面下部から下面部３０Ｂの上面に沿って後方に突出して形成されている。抜け止め部３２にはビス６０が螺合されるざぐり孔Ｈ２が形成されている。このざぐり孔Ｈ２の縮径側の孔径は、ビス６０のねじ部の径よりも小さく形成されている。抜け止め用のビス６０は、このざぐり孔Ｈ２にセルフタッピングして螺合されるが、前壁２０側には螺合されない。なお、ビス６０はタッピングビスであるが、上述のねじ部材３１Ｂとは異なり、先端が尖った所謂１種ねじである。
【００２５】
また、この抜け止め部３２に対応する前壁２０の載置部２２側には凸部２２Ｄが設けられている。図３及び図５に示すように、凸部２２Ｄは、上下方向に延びるリブ状に形成されており、載置部２２の後面から後方に突出して形成されている。凸部２２Ｄは、各ざぐり孔Ｈ２の左右に夫々１つずつ設けられている。
【００２６】
次に、上記構成の連結部材１０及び鏡アセンブリ１の作用について説明する。
最初に、連結部材１０の鏡２への取り付けについて説明する。まず、連結部材１０の前壁２０の前覆い部２１と、後壁３０の後覆い部３０Ａと、の間の空間Ｓに鏡２を挿入し、載置部２２の載置面２２Ａに下端を載置する。この時、裏板４の延出部４Ｂを後覆い部３０Ａと載置部２２との間の隙間Ｇに挿入する。なお、上述のように、前覆い部２１と後覆い部３０Ａの間の空間Ｓの大きさは、鏡２の厚さよりも僅かに大きく設定されており、載置部２２と後覆い部３０Ａとの間の隙間Ｇは、裏板４の板厚よりも大きく設定されているので、鏡２を容易に挿入可能である。
【００２７】
そして、図６に示すように、後壁３０の後方から抜け止め部３２にビス６０を螺合する。ビス６０はタッピングビスであり、抜け止め部３２のざぐり孔Ｈ２にセルフタッピングしつつ螺合して後壁３０を貫通する。後壁３０を貫通したビス６０の先端は後壁３０の前面から前方に突出する。ビス６０は、後壁３０を貫通したのちも更に回転螺合させることにより、裏板４の延出部４Ｂを貫通する。延出部４Ｂには下穴は形成されていないが、ビス６０はセルフタッピング作用により裏板４を貫通する。この時、延出部４Ｂは、ビス６０の先端に押圧されて前方に移動し、凸部２２Ｄに当接してそれ以上の前進が抑えられる。これにより、ビス６０による穿孔するための力が延出部４Ｂに好適に作用する。また、凸部２２Ｄは、図３に示すように、ざぐり孔Ｈ２に対応した位置の左右にずれた位置に設けられているので、ビス６０が延出部４Ｂを貫通するのを好適に補助するとともに、延出部４Ｂを貫通したのちのビス６０が干渉することがない。また、抜け止め部３２では、後壁３０から挿入されたビス６０が前壁２０側に螺合することはなく、延出部４Ｂを貫通するのみである。このようにビス６０を延出部４Ｂに貫通させることで、鏡２の連結部材１０からの抜け止めを行う。なお、抜け止め部３２では、延出部４Ｂを後壁３０と前壁２０との間で挟み込まないので、ビス６０のセルフタッピング等により延出部４Ｂを穿孔した際にバリ等が生じたとしても別段影響はない。
【００２８】
次に、押圧部３１の貫通孔３１Ａにねじ部材３１Ｂをセルフタッピングにより螺合し、ねじ部材３１Ｂの先端を鏡２の後面に当接させる。そして、ねじ部材３１Ｂを更に回転螺合させて先端部を前進させる。すると、図７に示すように、ねじ部材３１Ｂの先端部に押圧された鏡２は、その前面が前覆い部２１の後面に当接する。これにより、鏡２は、前壁２０の前覆い部２１と、押圧部３１のねじ部材３１Ｂとにより挟持されて連結部材１０に固定される。
【００２９】
以上のように、実施例１の連結部材１０は、鏡２の端部２Ａ，２Ｂに設けられて鏡２と、所定の取付部としての収納棚とを連結する部材である。連結部材１０は、前壁２０及び後壁３０を備えている。前壁２０は鏡２の前面を覆う。後壁３０は、鏡２の後面を覆うとともに、鏡２の後面に当接して鏡２を前壁２０側に押圧する押圧部３１を有している。
【００３０】
連結部材１０は、後壁３０が押圧部３１を有している。連結部材１０は、この押圧部３１が鏡２を前壁２０側に押圧することによって、鏡２を前壁２０と後壁３０との間で挟持している。このため、組み立てる際には、接着剤の塗布やその養生等が不要である。また、連結部材１０には所望の剛性が確保されているので、押圧部３１による押圧力を鏡２に確実に伝達することができる。
【００３１】
したがって、実施例１の連結部材１０は、簡易な構成により鏡２を容易且つ確実に固定することができる。
【００３２】
また、押圧部３１は、後壁３０の前後方向に貫通する貫通孔３１Ａと、先端が後壁３０の前面よりも前方に出没自在な形態で貫通孔３１Ａに螺合するねじ部材３１Ｂと、を具備している。このため、鏡２の確実な押圧を簡易な構成の押圧部３１により実現することができる。
【００３３】
＜実施例２＞
次に、実施例２の連結部材２１０及び鏡アセンブリ２０１について説明する。実施例２の連結部材２１０は、押圧部が貫通孔及びねじ部材を有することに加えて、介装部材を更に有する点において実施例１と相違する。その他の部分において、上述の実施例１と略同一の構成、機能を有する部分については同一の符号を付し、詳細な説明は省略する。
【００３４】
図８に示すように、実施例２の連結部材２１０は、後壁２３０が押圧部２３１を有している。押圧部２３１は、貫通孔３１Ａと、ねじ部材２３１Ｂと、介装部材２３１Ｃとを具備している。貫通孔３１Ａは実施例１と同様の構成である。ねじ部材２３１Ｂは、抜け止め部３２に挿入されるビス６０と同様に先端の尖った１種ねじである。介装部材２３１Ｃは、ねじ部材２３１Ｂの先端と鏡２の後面との間に介装される。介装部材２３１Ｃは金属製である。介装部材２３１Ｃは、左右方向に長い略矩形状に形成されており、２つのねじ部材２３１Ｂに跨って配されている。
【００３５】
このような構成の連結部材２１０及び鏡アセンブリ２０１もまた、実施例１と同様の作用効果を奏する。また、実施例２の連結部材２１０は、ねじ部材２３１Ｂの先端と鏡２の後面との間に介装される介装部材２３１Ｃを具備している。このように介装部材２３１Ｃを介装することで、ねじ部材２３１Ｂを鏡２に直接当接させることなく押圧することができる。その結果、タッピングビスであるねじ部材２３１Ｂとして、先端が尖った１種ねじを採用しても鏡２を損傷することなく確実に押圧することができる。また、介装部材２３１Ｃを介装することにより、ねじ部材２３１Ｂで鏡２を直接押圧する場合と比較して、押圧面積をより大きく設定することができる。このため、鏡を確実に押圧することができる。
【００３６】
また、１種ねじのねじ部材２３１Ｂを採用可能となったことにより、裏板４の延出部４Ｂを穿孔するために１種ねじを採用した抜け止め部３２のビス６０と、タッピングビスの品種の統一化を図ることができる。
なお、ねじ部材２３１Ｂとして、実施例１のねじ部材３１Ｂと同様に２種ねじを採用してもよい。
【００３７】
＜実施例３＞
次に、実施例３の連結部材３１０及び鏡アセンブリ３０１について説明する。実施例３の連結部材３１０は、押圧部の構成の点において実施例１と相違する。その他の部分において、上述の実施例１と略同一の構成、機能を有する部分については同一の符号を付し、詳細な説明は省略する。
【００３８】
図９〜図１１に示すように、実施例３の連結部材３１０は、後壁３３０が押圧部３３１を有している。押圧部３３１は、連結部材３１０の左右方向の中央部に設けられている。この押圧部３３１は弾性部材３３１Ｄを具備している。弾性部材３３１Ｄは、後壁３３０の前面よりも前方に突出する形態で後壁３３０に設けられている。具体的には、弾性部材３３１Ｄは、上端側において後壁３３０と接続されるとともに下端側が自由端となる形態の片持ち状に、後壁３３０に一体的に設けられている。弾性部材３３１Ｄは、自由端である下端側が、前後方向、すなわち、前壁２０に近接・離間する方向に移動可能な形態で弾性変形自在に設けられている。また、図１０に示すように、弾性部材３３１Ｄは、連結部材３１０が鏡２の端部２Ａに取り付けられる前の状態において、自由端である下端側に向かうにつれて前壁２０側に近接する形態で、傾斜して設けられている。換言すると、弾性部材３３１Ｄは、前壁２０との間の距離が下方に向かうにつれてより小さくなる形態で前方に突出している。弾性部材３３１Ｄは、連結部材３１０に鏡２が挿入されていない状態において、その下端部と前覆い部２１の後面との間の距離が鏡２の厚さよりも小さく設けられている。
【００３９】
このような構成の連結部材３１０は、鏡２の端部２Ａに取り付けられたときには、図１１に示すように、鏡２によって後方に弾性変形した状態となる。具体的には、弾性部材３３１Ｄは、鏡２が前壁２０と後壁３３０の間に差し込まれると、下端部が鏡２の後面に当接して押圧され、後方に弾性変形する。このとき、鏡２の後面には、弾性変形した弾性部材３３１Ｄの復原力が作用する。この復原力は、鏡２を前方に押し出す方向に作用する。これにより、鏡２は、弾性部材３３１Ｄと前壁２０との間で好適に挟持される。
【００４０】
以上より、実施例３の連結部材３１０及び鏡アセンブリ３０１もまた、鏡２を確実に挟持することができる。また、実施例３の押圧部３３１は弾性部材３３１Ｄを具備しており、この弾性部材３３１Ｄが後壁３３０の前面よりも前方に突出する形態で後壁３３０に設けられている。このため、簡易な構成により鏡２を前方に好適に押圧することができる。また、連結部材３１０の鏡２の端部２Ａへの取り付けは、鏡２を前壁２０及び後壁３３０の間に差し込むという簡易な作業のみで行うことができるので、実施例１等のようなねじ部材を具備する押圧部と比較してより容易に行うことができる。
【００４１】
＜実施例４＞
次に、実施例４の連結部材４１０及び鏡アセンブリ４０１について説明する。実施例４の連結部材４１０は、押圧部の構成の点において実施例１と相違する。その他の部分において、上述の実施例１と略同一の構成、機能を有する部分については同一の符号を付し、詳細な説明は省略する。
【００４２】
図１２及び図１３に示すように、実施例４の連結部材４１０は、後壁４３０が押圧部４３１を有している。押圧部４３１は２つ設けられており、これらは連結部材４１０の左右方向において、実施例１の押圧部３１と略同様の位置に配置されている。各押圧部４３１は凸状部４３１Ｅを具備している。凸状部４３１Ｅは、後壁４３０の前面から前方に突出する形態で後壁４３０に設けられている。具体的には、凸状部４３１Ｅは、前壁２０の前覆い部２１の後面に対向する位置において上下に延びる形態で、後壁４３０の前面に設けられている。また、凸状部４３１Ｅの上端部は、上方に向かうにつれて後壁４３０の前面に近接するテーパ状に形成されている。凸状部４３１Ｅは所謂潰しリブである。凸状部４３１Ｅは、鏡２が挿入されるときの押圧力によって塑性変形し（図１３参照）、その反力によって鏡２を前壁２０との間で挟持する。凸状部４３１Ｅは、鏡２が挿入される前の状態において、その前面と前覆い部２１の後面との間の距離が鏡２の厚さよりも小さく設けられている。
【００４３】
このような構成の実施例４の連結部材４１０及び鏡アセンブリ４０１もまた、鏡２を確実に挟持することができる。また、実施例４では、押圧部４３１が凸状部４３１Ｅを具備しており、この凸状部４３１Ｅが後壁４３０の前面から前方に突出する形態で後壁４３０に設けられている。また、凸状部４３１Ｅは、鏡２が挿入されるときに受ける押圧力によって塑性変形する。このような簡易な構成により、鏡２を前方に好適に押圧することができる。また、連結部材４１０の鏡２の端部２Ａへの取り付けは、実施例３と同様に、鏡２を前壁２０及び後壁４３０の間に差し込むという簡易な作業のみで行うことができるので、実施例１等のようなねじ部材を具備する押圧部と比較してより容易に行うことができる。
【００４４】
本発明は上記記述及び図面によって説明した実施例１〜４に限定されるものではなく、例えば次のような実施例も本発明の技術的範囲に含まれる。
（１）実施例１〜４では、連結部材が鏡と、所定の取付部としての収納棚とを連結するとともに、鏡アセンブリが収納棚の扉として用いられる形態を例示したが、連結部材は、壁面等の他の形態の取付部と鏡とを連結するものであってもよい。
（２）実施例１，２及び４では、２つの押圧部を連結部材の左右方向の両端部側に夫々設ける形態、実施例３では、１つの押圧部を連結部材の左右方向の中央部に設ける形態を夫々例示したが、押圧部の個数や配設位置等は特に限定されない。
（３）実施例３では、弾性部材が後壁に一体に設けられている形態を例示したが、弾性部材は後壁と別体に設けられていてもよい。
（４）実施例１〜４では、１種類の押圧部のみを設ける形態を例示したが、異なる種類の押圧部を２種類以上組み合わせて採用してもよい。
（５）実施例２では、介装部材を複数のねじ部材に跨って配置する形態を例示したが、介装部材を設ける場合には、押圧部毎に設けるようにしてもよい。
【符号の説明】
【００４５】
１，２０１，３０１，４０１…鏡アセンブリ
２…鏡
２Ａ，２Ｂ…鏡の端部
１０，２１０，３１０，４１０…連結部材
２０…前壁
３０，２３０，３３０，４３０…後壁
３１，２３１，３３１，４３１…押圧部
３１Ａ…貫通孔
３１Ｂ，２３１Ｂ…ねじ部材
２３１Ｃ…介装部材
３３１Ｄ…弾性部材
４３１Ｅ…凸状部
【図１】
2019141271.tif 000003
【図２】
2019141271.tif 000004
【図３】
2019141271.tif 000005
【図４】
2019141271.tif 000006
【図５】
2019141271.tif 000007
【図６】
2019141271.tif 000008
【図７】
2019141271.tif 000009
【図８】
2019141271.tif 000010
【図９】
2019141271.tif 000011
【図１０】
2019141271.tif 000012
【図１１】
2019141271.tif 000013
【図１２】
2019141271.tif 000014
【図１３】
2019141271.tif 000015